(57)【要約】　　　（修正有）【課題】従来は経理科目データより環境科目会計データを手作業で変換し、作成された環境会計データから手作業で環境会計財務報告書を作成しなければならなかった。【解決手段】経理科目データを環境科目データに自動変換し、環境会計財務報告書を自動で作成するプログラム。【選択図】　　図１
0003098713.tif 000002
【実用新案登録請求の範囲】
【請求項１】
経理データを入力し環境データに変換後、環境科目毎に集計された環境会計財務報告書（損益計算書及び貸借対照表）を作成する装置。
【考案の詳細な説明】
ブラウザー上に入力フォームを表出し、そこに必要な経理データを入力し、入力された経理科目毎のデータをサーバに転送する。サーバでは予め用意されたプログラムを使いそのデータを元に経理データと環境データのマトリックスを作成する。作成されたマトリックスより環境会計科目毎のデータに変換し環境会計財務報告書（損益計算書及び貸借対照表）を作成する。
【考案の属する技術分野】管理、業務目的用デジタルデータ処理方法。
【従来の技術】経理データと環境会計データから環境会計財務報告書を手作業で作成。
【考案が解決しようとする課題】
経理データと環境会計科目データから環境会計財務報告書を自動作成する。
【課題を解決するための手段】
経理データと環境会計科目データから環境会計財務報告書を自動作成するためのプログラム。
【考案の実施の形態】
プログラム、サーバ、ブラウザ。
【考案の効果】
手作業で行っていた経理科目データの分類、集計、環境会計科目データへの変換、変換されたデータからの環境会計財務諸表（損益計算書及び対照貸借表）をサーバにインストールされたプログラムを使い全て自動的に作成することで作業時間が短縮され正確な環境会計財務報告書が作成出来る。
【図面の簡単な説明】
【図１】考案の内容を示すフロー図である。
【図２】考案した内容の構成を示す図である。
【符号の説明】
ブラウザ上でデータ入力フォームから経理データを入力する（
【図１】
【図２】（１））。入力されたデータをサーバ（
【図２】（３））に転送する。サーバで予め用意されたプログラム（
【図２】（２））を使いブラウザ上で経理科目毎のデータと環境会計科目毎のマトリックス（
【図１】（２））を作成する。マトリックスから環境会計データを作成する（
【図１】（３））。作成されたデータを元に必要な様式の環境会計財務諸表（損益計算書及び貸借対照表）を出力する（
【図１】（４））。
【図１】
0003098713.tif 000003
【図２】
0003098713.tif 000004
【手続補正書】
【提出日】平成14年4月18日(2002.4.18)
【手続補正２】
【補正対象書類名】明細書
【補正対象項目名】実用新案登録請求の範囲
【補正方法】変更
【補正の内容】
【実用新案登録請求の範囲】
【請求項１】
経理データを入力し環境データに変換後、環境科目毎に集計された環境会計財務報告書（損益計算書及び貸借対照表）を作成する機能
【手続補正３】
【補正対象書類名】明細書
【補正対象項目名】符号の説明
【補正方法】変更
【補正の内容】
【符号の説明】
ブラウザ上でデータ入力フォームから経理データを入力する（「図１」「図２」（１））。入力されたデータをサーバ（「図２」（３））に転送する。サーバで予め用意されたプログラム（「図２」（２））を使いブラウザ上で経理科目毎のデータと環境会計科目毎のマトリックス（「図１」（２））を作成する。マトリックスから環境会計データを作成する（「図１」（３））。作成されたデータを元に必要な様式の環境会計財務諸表（損益計算書及び貸借対照表）を出力する（「図１」（４））。




【手続補正書】
【提出日】平成14年6月27日(2002.6.27)
【手続補正１】
【補正対象書類名】明細書
【補正対象項目名】実用新案登請求の範囲
【補正方法】変更
【補正の内容】
【実用新案登録請求の範囲】
【請求項１】
経理データを入力し、マトリックスを作成し、環境会計データを作成し、その後、環境会計財務報告書を出力するプログラム、サーバー、ブラウザで構成される機能
【手続補正書】
【提出日】平成14年9月11日(2002.9.11)
【手続補正１】
【補正対象書類名】明細書
【補正対象項目名】実用新案登録請求の範囲
【補正方法】変更
【補正の内容】
【実用新案登録請求の範囲】
【請求項１】
経理データを入力し、マトリックスを作成し、環境会計データを作成し、その後、環境会計財務報告書を出力するプログラム、サーバー、ブラウザで構成される装置
【手続補正書】
【提出日】平成14年11月21日(2002.11.21)
【手続補正１】
【補正対象書類名】明細書
【補正対象項目名】実用新案登録請求の範囲
【補正方法】変更
【補正の内容】
【実用新案登録請求の範囲】
【請求項１】
経理データを入力し、マトリックスを作成し、環境会計データを作成し、その後、環境会計財務報告書を出力するプログラム、そのプログラムを使うサーバー、出力するのに必要な様式にするブラウザで構成される装置
【手続補正書】
【提出日】平成15年5月22日(2003.5.22)
【手続補正１】
【補正対象書類名】明細書
【補正対象項目名】実用新案登録請求の範囲
【補正方法】変更
【補正の内容】
【実用新案登録請求の範囲】
【請求項１】
経理データを入力し、マトリックスを作成し、環境会計データを作成し、その後、環境会計財務報告書を出力するプログラム、そのプログラムを使うサーバー装置、出力するのに必要な様式にするブラウザで構成される装置
【手続補正書】
【提出日】平成15年2月7日(2003.2.7)
【手続補正２】
【補正対象書類名】明細書
【補正対象項目名】実用新案登録請求の範囲
【補正方法】変更
【補正の内容】
【実用新案登録請求の範囲】
【請求項１】
経理データを入力し、その経理データと環境会計データとのマトリックスを使用することにより、環境会計データに変換し、その環境会計データから環境会計財務報告書の作成を可能にする方法
【手続補正３】
【補正対象書類名】明細書
【補正対象項目名】考案の効果
【補正方法】変更
【補正の内容】
【考案の効果】
従来は分類カテゴリーが違うため経理データから環境会計データへの変換が出来ずに環境会計財務報告書が作成出来なかったが、経理データと環境会計データとのマトリックスを使用することにより環境会計財務諸表を作成することが出来る。




【手続補正書】
【提出日】平成15年7月17日(2003.7.17)
【手続補正１】
【補正対象書類名】明細書
【補正対象項目名】考案の詳細な説明
【補正方法】変更
【補正の内容】
【考案の詳細な説明】
ブラウザー上に入力フォームを表出し、そこに必要な経理データを入力し、入力された経理科目毎のデータをサーバに転送する。サーバでは予め用意されたプログラムを使いそのデータを元に経理データと環境データのマトリックスを作成する。作成されたマトリックスより環境会計科目毎のデータに変換し環境会計財務報告書（損益計算書及び貸借対照表）を作成する。
【考案の属する技術分野】管理、業務目的用デジタルデータ処理方法。
【従来の技術】経理データと環境会計データから環境会計財務報告書を手作業で作成。
【考案が解決しようとする課題】
経理データと環境会計科目データから環境会計財務報告書を自動作成する。
【課題を解決するための手段】
経理データと環境会計科目データから環境会計財務報告書を自動作成するためのプログラム。
【考案の実施の形態】
プログラム、サーバ、ブラウザ。
【考案の効果】
手作業で行っていた経理科目データの分類、集計、環境会計科目データへの変換、変換されたデータからの環境会計財務諸表（損益計算書及び対照貸借表）をサーバにインストールされたプログラムを使い全て自動的に作成することで作業時間が短縮され正確な環境会計財務報告書が作成出来る。